(57)【要約】      （修正有）【課題】他の室内機器の結露等の問題を起こさず、製造が簡単で、使用及びメンテナンスに手間がかからずに、確実に加湿効果を得られる枕シートを提供する。【解決手段】含水体２と、透湿性カバー３と、メッシュカバー４とから構成される加湿機能付枕シート１において、該透湿性カバーは袋状で、内部に該含水体を収納し、かつ開口部に開閉自在なファスナー３ａを具備し、該メッシュカバーは袋状で、内部に該透湿性カバーを収納してなる加湿機能付枕シートであり、これを枕上に置いて使用する。【選択図】図１
0003117705.tif 000002
【実用新案登録請求の範囲】
【請求項１】
含水体と、透湿性カバーと、メッシュカバーとから構成される加湿機能付枕シートにおいて、
該透湿性カバーは袋状で、内部に該含水体を収納し、かつ開口部に開閉自在なファスナーを具備し、
該メッシュカバーは袋状で、内部に該透湿性カバーを収納することを特徴とする加湿機能付枕シート。
【請求項２】
前記メッシュカバーが固定具を有する略長方形であり、該透水性カバーに巻着され、該固定具により固定されることを特徴とする請求項１記載の加湿機能付枕シート。
【請求項３】
前記透湿性カバー及びメッシュカバーが積層添着された袋状の一体型カバーであり、内部に該含水体を収納し、かつ開口部に開閉自在なファスナーを具備することを特徴とする請求項１記載の加湿機能付枕シート。
【考案の詳細な説明】
【技術分野】
【０００１】
本考案は、加湿機能付枕シートに関するものである。
【背景技術】
【０００２】
出張あるいは観光で、ホテル等の宿泊施設は多くの人々に利用されている。ホテルに宿泊する場合、困るのが冬期の室内空気の乾燥である。室内は常に換気をしているので、部屋の湿度は２５％程度と低くなり、人体の粘膜部が乾燥してしまうため、喉の痛みや眼球の乾燥を感じる。最近は小型加湿器を設置しているホテルもあるが、小型故あまり効き目がない。
【０００３】
以下、場合を分けて室内空気の加湿に関する従来の対策や方法を説明する。
ホテルの場合、ユニットバスのシャワーで部屋の加湿をする、濡れたタオルを枕元に置く、客室の床の絨毯・カーペット等に水を撒く、ホテルで設置された加湿器を利用する、等の対策が考えられる。
【０００４】
一般家庭の場合、家電品として普及している家庭用加湿器を使用することが多い。また、近年の新築住宅やマンションでは計画換気（強制換気）が一般的で多く普及している。
【０００５】
病院における入院病棟や老人健康施設の場合は、空調設備で加湿を行っている。
【０００６】
上記の従来技術には、下記のような問題点を指摘することができる。
ホテルの場合、シャワーでの加湿方法は、室内の湿度が２５％程度から一気に６０％以上に上昇し、部屋の乾燥状態は一時的には解決できる。しかし、室内温度が一気に上昇するため、火災報知器の誤作動を起こす恐れがある。また、部屋の湿度が一気に上昇することから部屋の内部が結露する。さらに、出張のビジネスマンはパソコンを携帯している人が多いが、外から持ち込んだパソコンは冷えており、高湿度になるとパソコン内部で結露が起こり故障の原因になる。加えて、ホテルの部屋の窓際に設置されたテレビも窓からの冷気を受けて冷えているので、これも結露と故障の恐れがある。
【０００７】
濡れたタオルを枕元に置く方法は、一見、本考案の加湿機能付枕シートと同様の効果が得られると思われる。しかし、まず、タオルを枕元に置くために寝具等を濡らすことが考えられ、ホテル側の不利益になる。また、寝返りによって就寝中に肩等を濡らすことも考えられる。さらに、頭部への加湿効果においても、タオルの敷設位置と口や鼻の位置に距離ができるため、充分な加湿効果を得られない可能性がある。
【０００８】
客室の床の絨毯・カーペット等に水を撒く方法は、部屋全体が加湿されるため、穏やかで効果的な加湿効果を得られる。しかし、過度に水を撒くと翌日まで床が乾かないことがあり、その場合、翌日にその部屋を他の利用者に提供できなくなる、また、絨毯等の寿命も短くなる等の不利益がホテル側に生じる。
【０００９】
各部屋に設置、あるいはフロントで貸し出している加湿器を使用する方法では、まず、加湿器を揃える時点で多額の設備費用がかかる。また、快適な湿度を得るためには長時間に亘って使用する必要があるため、光熱費や機器のメンテナンス費用がかかり、これもまたホテル側には不利益である。
【００１０】
家庭用加湿器を使用する方法では、冬期に強制換気を行うと、住宅内部に低温の外気が導入される。これが住宅内部に入り、暖められた空気は膨張し、単位容積当たりの水分量は著しく低下する。このため、２４時間強制換気を行っている住宅では、家庭用加湿器を使用してもなかなか加湿が追いつかないのが現状である。
【００１１】
また、就寝時は家族がそれぞれの部屋に入る為に、就寝中に加湿をする為には家族の人数分に対応する台数の加湿器と、その台数分の電力を消費する。したがって、加湿器の購入費と加湿器稼動による電気料金の負担が増え、また、多くの家庭で夜間、加湿器を使用することによりエネルギー資源の浪費につながる。
【００１２】
空調設備での加湿方法では、一般家庭やマンション等での欠点と同様、室内の空気が乾燥してしまい、入院患者や入居老人の健康を損ない風邪を引きやすくする。また、湿度が低下するとインフルエンザの蔓延の要因にもなる。また、多数の人々が集まる病棟や老人健康施設では、入院患者個々に加湿器を提供できないので、建物の空調設備で加湿する方法しかない。しかしながらその実態は、加湿機能が追いつかず、冬期の病室は非常に乾燥し、患者の健康が損なわれている。
【００１３】
室内乾燥を改善するための加湿器に関しては、多数の出願があり、例えば、特許文献１には一般家庭での使用やメンテナンスが容易に行える加湿器が記載され、特許文献２には事務所、ホテル、病院等の室内の空気を加湿するための加湿装置が記載されている。
【特許文献１】特開２００５−０３７０１１号公報
【特許文献２】特開２００５−０６９４９７号公報
【考案の開示】
【考案が解決しようとする課題】
【００１４】
特許文献１に記載の加湿器、及び特許文献２に記載の加湿装置では、上述の問題点を確実に解決するのは困難であり、現状において、確実に加湿効果を得ることができる技術は知られていない。
【００１５】
そこで本発明は、他の室内機器の結露等の問題を起こさず、製造が簡単で、使用及びメンテナンスに手間がかからずに、確実に加湿効果を得られる枕シートを提供するものである。
【課題を解決するための手段】
【００１６】
本考案は、上述のような問題を解決するため、下記のようになるものである。
請求項１に係る加湿機能付枕シートは、含水体と、透湿性カバーと、メッシュカバーとから構成され、該透湿性カバーは袋状で、内部に該含水体を収納し、かつ開口部に開閉自在なファスナーを具備し、該メッシュカバーは袋状で、内部に該透湿性カバーを収納することを特徴とする。
【００１７】
請求項２に係る加湿機能付枕シートは、前記メッシュカバーが固定具を有する略長方形であり、該透水性カバーに巻着され、該固定具により固定されることを特徴とする。
【００１８】
請求項３に係る加湿機能付枕シートは、前記透湿性カバー及びメッシュカバーが積層添着された袋状の一体型カバーであり、内部に該含水体を収納し、かつ開口部に開閉自在なファスナーを具備することを特徴とする。
【考案の効果】
【００１９】
本考案は、上述のように構成されているので、下記のような効果を期待することができる。すなわち、本考案による加湿機能付枕シートを使用することにより得られる効果は下記の通りである。
【００２０】
ホテルで使用する場合、ホテル側に上述したようなコストがかからなくなる。つまり、頭部周辺のみ加湿するので、室内の結露等、前項で挙げた弊害が解消される。また、使用電力がなくなり電気代の節減につながる。同時に、使用する側にも適度な湿度が得られるので快適な安眠が得られる。
【００２１】
家庭で使用する場合、家族の個々人が持つことが可能な低価格であり、電力も使用しないことから、冬期間の電気代の節約になる。また、就寝中に喉が痛くなることもなく、風邪を引きにくくすることから、家族の健康が得られ、医療費の削減にもつながる。
【００２２】
病院・老人健康施設で使用する場合、ホテルや各家庭で使用する場合と同様に、設備費や維持費が削減されることはもちろんであるが、入院患者が更に健康を損なうことを未然に防止できることから、病院としての信頼度が上がり、病院経営にも寄与することができる。
【００２３】
また、さらに大きな視野で見た場合、一番の利益は電力等の使用エネルギーの削減である。国家規模または地球規模で本考案のものが使用された場合に削減される電力は多大なもので、昨今の省エネルギー問題や地球温暖化防止に大きく寄与できる。
【考案を実施するための最良の形態】
【００２４】
以下、図面を参照して実施の形態の詳細を説明する。
【実施例１】
【００２５】
図１は、本考案による加湿機能付枕シートの第１実施例の概略的一部切欠斜視図である。１は加湿機能付枕シートであり、含水体２と透湿性カバー３とメッシュカバー４とから構成されている。
【００２６】
含水体２は、適度に水分を含むことができ、その水分を一定時間保持できるような材質のもので、枕シートとして適した材であれば特に限定されず、タオルあるいはスポンジ等を使用してもよい。
【００２７】
透湿性カバー３は、袋状に構成され、開口部には必要に応じて開閉自在のファスナー３ａが設けられる。メッシュカバー４も同様に袋状に構成される。
【００２８】
透湿性カバー３は、本考案による枕シートを使用する際に、内部の含水体２に含まれた水分を適度に発散させることができる透湿性を有し、かつ頭部を置いて使用する際に不快感のない材質であれば特に限定しない。
【００２９】
また、メッシュカバー４の材質についても、頭部を置いて使用する際に不快感のない柔軟な素材であれば特に限定しない。
【００３０】
本枕シートを使用する際は、含水体２を透湿性カバー３内に収納し、これをさらにメッシュカバー４内に収納した上で、枕上に置いて使用する。
【実施例２】
【００３１】
図２（ａ）は、本考案による加湿機能付枕シートの第２実施例の概略的一部切欠斜視図である。２１は加湿機能付枕シートであり、含水体２を収納した透水性カバー３にメッシュカバー４が巻着される。
【００３２】
図２（ｂ）は、第２実施例におけるメッシュカバー４の展開状態を示したものである。メッシュカバー４は略長方形のシート状に構成されており、端部には、透湿性カバー３への巻着後に固定するための固定具４ａが取り付けられている。固定具４ａとして使用する材料は特に限定されないが、メッシュカバー４の取り外しを容易に行うことができるスナップや面ファスナー等が最適である。
【００３３】
図３は、本考案による加湿機能付枕シートの第３実施例の概略的一部切欠斜視図である。３１は加湿機能付枕シートであり、透湿性カバー３とメッシュカバー４が積層添着した袋状の一体型カバー５に構成されている。一体型カバー５の開口部には必要に応じて開閉自在のファスナー５ａが設けられる。
【００３４】
含水体２は、各実施例において自由に出し入れができるため、本枕シートは携行あるいは保管の際は小さく折り畳むことができる。
【００３５】
本枕シートを使用することにより、就寝中、本枕シート内部に収納された含水体２の湿気が透湿性カバー３を通して発散される為、頭部周辺の湿度を上げる。また、メッシュカバー４により、人の肌と透湿性カバーが直接的に接することがないので、人の肌によって透湿性カバーの微小な穴が塞がれることがない。したがって、透湿性が損なわれることがなく、効果的に枕シート内部の湿気が頭部の周りに発散される。
【００３６】
冬季間におけるホテルの部屋の湿度は２５％程度であるが、人が快適に就寝するためには４０〜６０％が適当であり、通常の状態では快適な睡眠は望めない。しかし、本考案の加湿機能付枕シートを使用すると、頭部の周辺は４０％以上の湿度を維持し、快適な睡眠が実現する。また、加湿の際には電力等は全く使用されることなく、体温と枕シート内部と枕シート外側の湿度差により発散させる為、電気を使用する加湿器に比べて省エネルギー、地球温暖化対策にも寄与するものである。
【００３７】
以上の説明ではホテルの部屋を例に挙げたが、ホテルのみでなく、病院、一般家庭及び老人健康施設等の空気が乾燥しやすい室内において、幅広く活用できるものである。
【図面の簡単な説明】
【００３８】
【図１】本考案による加湿機能付枕シートの第１実施例を示す概略的一部切欠斜視図である。
【図２】（ａ）は本考案による加湿機能付枕シートの第２実施例を示す概略的一部切欠斜視図、（ｂ）は（ａ）におけるメッシュカバーの展開状態を示す概略的斜視図である。
【図３】本考案による加湿機能付枕シートの第３実施例を示す概略的一部切欠斜視図である。
【符号の説明】
【００３９】
１，２１，３１      枕シート
２        含水体
３        透水性カバー
３ａ，５ａ      ファスナー
４        メッシュカバー
４ａ      固定具
５        一体型カバー
【図１】
0003117705.tif 000003
【図２】
0003117705.tif 000004
【図３】
0003117705.tif 000005